(57)【要約】【課題】溶接部分を有さず、かつ比較的簡素な構成のアンテナ取付器具を得る。【解決手段】取付金具２および中間金具３にそれぞれ二つのフランジ部（２ｂまたは３ｂ）を設けて、合計四つの当該フランジ部２ｂ，３ｂ，３ｂ，２ｂが全て重なり合うように配置するとともに、それら四つのフランジ部２ｂ，３ｂ，３ｂ，２ｂに相互に重なり合う貫通孔２ｄ，３ｄを形成し、ねじ５を、それら四つの貫通孔２ｄ，３ｄ，３ｄ，２ｄに挿通させて当該四つのフランジ部２ｂ，３ｂ，３ｂ，２ｂを締結することにより、取付金具２と中間金具３とが連結されるようにした。【選択図】図３
2008085913.tif 000002
【特許請求の範囲】
【請求項１】
支柱に取り付けられる取付金具と、
アンテナマストを支持する支持金具と、
前記取付金具に連結されるとともに前記支持金具を支持する中間金具と、
を備え、
前記取付金具および中間金具にそれぞれ二つのフランジ部を設けて、合計四つの当該フランジ部が全て重なり合うように配置するとともに、前記四つのフランジ部には相互に重なり合うねじ挿通部を形成し、
連結具としてのねじを前記四つのフランジ部に形成したねじ挿通部に挿通させて、当該四つのフランジ部を締結することにより、前記取付金具と中間金具とが連結されるようにしたことを特徴とするアンテナ取付器具。
【請求項２】
前記中間金具に平坦部分を有する突出部を設けて、当該平坦部分に雌ねじ孔を穿設し、
前記雌ねじ孔に螺入した止めねじを用いて前記支持金具を中間金具に固定するようにしたことを特徴とする請求項１に記載のアンテナ取付器具。
【請求項３】
前記取付金具の支柱との当接面に、当該支柱に食い込む爪部を設けたことを特徴とする請求項１または２に記載のアンテナ取付器具。
【発明の詳細な説明】
【技術分野】
【０００１】
本発明は、アンテナを支柱に取り付けるのに用いるアンテナ取付器具に関する。
【背景技術】
【０００２】
従来のこの種の取付器具として、複数の部品を多数のねじを用いて結合して組み立てる取付器具が知られている（例えば、特許文献１）。
【特許文献１】特開平１０−９８３１９号公報
【発明の開示】
【発明が解決しようとする課題】
【０００３】
また、上記特許文献１の他、複数の部材を溶接して構成した金具を用いたものも採用されている。かかる構成によれば、溶接によって部品を一体化した分だけ部品点数を減らして構成を簡素化できるという利点がある。
【０００４】
ただし、部材同士を溶接すると、溶接部分近傍で耐食性（耐腐食性）が低くなる領域が生じるため、溶融亜鉛メッキ等の表面処理を施すことが必要となる。
【０００５】
しかし、溶融亜鉛メッキ等の表面処理は、美観が低下する上、溶接部分の凹凸によって塗装時の密着性が低下する虞もある。
【０００６】
そこで、本発明は、溶接部分を有さず、かつ比較的簡素な構成のアンテナ取付器具を得ることを目的とする。
【課題を解決するための手段】
【０００７】
請求項１の発明にあっては、支柱に取り付けられる取付金具と、アンテナマストを支持する支持金具と、前記取付金具に連結されるとともに前記支持金具を支持する中間金具と、を備え、前記取付金具および中間金具にそれぞれ二つのフランジ部を設けて、合計四つの当該フランジ部が全て重なり合うように配置するとともに、前記四つのフランジ部には相互に重なり合うねじ挿通部を形成し、連結具としてのねじを前記四つのフランジ部に形成したねじ挿通部に挿通させて、当該四つのフランジ部を締結することにより、前記取付金具と中間金具とが連結されるようにしたことを特徴とする。
【０００８】
請求項２の発明にあっては、前記中間金具に平坦部分を有する突出部を設けて、当該平坦部分に雌ねじ孔を穿設し、前記雌ねじ孔に螺入した止めねじを用いて前記支持金具を中間金具に固定するようにしたことを特徴とする。
【０００９】
請求項３の発明にあっては、前記取付金具の支柱との当接面に、当該支柱に食い込む爪部を設けたことを特徴とする。
【発明の効果】
【００１０】
請求項１の発明によれば、溶接部分を設けることなく取付金具と中間金具とを結合できるため、溶接による不具合を回避することができる。また、一つのねじを用いて四つのフランジ部を連結することで取付金具と中間金具とを一体化することができるので、ねじの使用数を少なくできて構成が簡素化されるとともに、組立作業をより容易に行うことができるようになる。
【００１１】
請求項２の発明によれば、中間金具にナットを溶接するのではなく直接雌ねじ孔を穿設したため、ナットの溶接に伴う不具合を回避することができる。
【００１２】
請求項３の発明によれば、爪部により、取付金具が支柱に対してずれるのを抑制することができる。
【発明を実施するための最良の形態】
【００１３】
以下、本発明の実施形態について図面を参照しながら詳細に説明する。図１は、本実施形態にかかるアンテナ取付器具を用いてアンテナマストを支柱に取り付けた状態を示す側面図、図２は、アンテナ取付器具の斜視図、図３は、アンテナ取付器具を支柱の軸方向から見た平面図（一部断面図）、図４は、取付金具をなす取付片の斜視図である。なお、図２および図３は、ボルトおよびナットを完全に締結する前の状態を示している。
【００１４】
本実施形態にかかるアンテナ取付器具１は、棒状または筒状のアンテナマスト１１を支柱１０に取り付けるのに用いられるものであって、具体的には、支柱１０の長手方向に離間した二箇所（上下二箇所）で当該支柱１０に取り付けられる取付金具２，２と、それら取付金具２，２にそれぞれ連結される中間金具３，３と、それら中間金具３，３の双方に支持される略円筒状の支持金具４とを備えている。なお、本実施形態では、二つの取付金具２，２はいずれも同一構造で、また二つの中間金具３，３も同一構造となっている。また、１２は、支柱１０の長手方向端部（この場合は上端）に取り付けられたキャップである。
【００１５】
支柱１０は、例えば、家屋等に電線を引き込むのに用いられる電線引込柱として構成することができる。電線引込柱として構成される場合、配線は、電柱とこの支柱１０との間に架設され、さらに支柱１０の空洞内から地中（配管内）を経由して建物内まで配索されることになる。
【００１６】
取付金具２は、図２および図３に示すように、略Ω字状に屈曲成形された帯板状の金属部材からなる二つの取付片２Ａ，２Ｂを備えている。これら取付片２Ａ，２Ｂは、いずれも、支柱１０の外周に略沿う半円弧状に屈曲成形された支柱ホールド部２ａと、当該支柱ホールド部２ａの周方向両端縁からそれぞれ相互に離反する方向に伸びるフランジ部２ｂ，２ｃとを有している。
【００１７】
そして、これら取付片２Ａ，２Ｂのフランジ部２ｂ，２ｃには、いずれもねじ挿通部としての貫通孔２ｄが形成されている。
【００１８】
また、取付片２Ａ，２Ｂの内周面２ｇには、爪部２ｈ，２ｈが形成されている。
【００１９】
中間金具３は、帯板状の金属部材を屈曲して形成されており、支持金具４の外周に略沿うＣ字状の環状部３ａと、環状部３ａの周方向両端縁からほぼ平行に伸びるフランジ部３ｂ，３ｂとを有している。フランジ部３ｂ，３ｂには、それぞれ、ねじ挿通部としての貫通孔３ｄ，３ｄが形成されている。
【００２０】
この環状部３ａの途中には、径外方向に略台形状に膨出されたエンボス部（突出部）３ｃが形成されており、このエンボス部３ｃの平坦部分に、支持金具４ならびにアンテナマスト１１を固定する止めねじ６用の雌ねじ孔３ｅを穿設してある。なお、本実施形態では、エンボス部３ｃの平坦部分をフランジ部３ｂ，３ｂと略平行にして、ボルト５および止めねじ６のねじ留め作業をほぼ同じ方向からできるようにしてある。
【００２１】
支持金具４は、図１および図２に示すように、略円筒状の金属部材であり、その長手方向両端部に中間金具３が外装される。
【００２２】
そして、この支持金具４には、図３に示すように、止めねじ６を挿通させる挿通部として貫通孔４ａが形成されている。
【００２３】
以上の構成において、支柱１０にアンテナマスト１１を取り付けるに際しては、まず、支持金具４と中間金具３とを連結し、次いで、中間金具３と取付金具２とを連結して、アンテナ取付器具１を仮組みする。そして、支柱１０を寝かせた状態で取付金具２を固定することで当該支柱１０にアンテナ取付器具１を装着し、支柱１０を立設し、その支柱１０に固定されたアンテナ取付器具１にアンテナマスト１１を取り付ける。
【００２４】
ここで、支持金具４と中間金具３とは、止めねじ６によって連結される。すなわち、止めねじ６を中間金具３のエンボス部３ｃに形成した雌ねじ孔３ｅに螺入して支持金具４に形成された貫通孔４ａに挿通することで、支持金具４が中間金具３に対して位置決めされる。かかる構成によって、支持金具４が、中間金具３に対し、当該支持金具４の軸方向、周方向、および径方向の全方向について係止されることになる。
【００２５】
ただし、アンテナ取付器具１を支柱１０に取り付ける前は、止めねじ６の締め込みについては、その先端部分が貫通孔４ａに挿入されて支持金具４を仮保持できる程度に留めておき、最終的に支持金具４にアンテナマスト１１を取り付ける際に、止めねじ６をアンテナマスト１１に突き当てて堅く締め込むようにする。
【００２６】
中間金具３と取付金具２との連結には、連結具としてのボルト５およびナット７を用いる。具体的には、支柱１０を挟持するように二つの取付片２Ａ，２Ｂを配置するとともに、取付片２Ａ，２Ｂのフランジ部２ｂ，２ｂと中間金具３のフランジ部３ｂ，３ｂとが重なり合う部分では、ボルト５を、貫通孔２ｄ、貫通孔３ｄ、貫通孔３ｄ、および貫通孔２ｄの順に貫通させて、ナット７を螺結する。これにより、中間金具３と取付金具２とが連結される。
【００２７】
また、本実施形態では、四つのフランジ部２ｂ，３ｂを重ね合わせてボルト５を貫通孔２ｄ，３ｄに挿通した状態で、フランジ部２ｂが中間金具３の環状部３ａの根元部近傍まで延在するようにしてある。こうすることで、ボルト５およびナット７の締結作業時にフランジ部２ｂが回動するのを環状部３ａによって規制することができる。
【００２８】
また、他方側では、フランジ部２ｃ，２ｃを重ね合わせ、ボルト５を貫通孔２ｄ，２ｄに貫通させて、ナット７を螺結する。これにより、取付金具２が支柱１０に固定される。
【００２９】
このとき、少なくともボルト５の頭部が当接するフランジ部２ｂに形成する貫通孔２ｄを角孔とし、ボルト５を角根ボルトとすれば、連結作業をより容易に行うことができる。
【００３０】
こうして取付金具２を支柱１０に固定すると、支柱ホールド部２ａの内周面２ｇに設けた爪部２ｈ，２ｈが支柱１０の外表面１０ａに食い込むことになる。
【００３１】
また、取付片２Ａ，２Ｂのフランジ部２ｂ，２ｂと中間金具３のフランジ部３ｂ，３ｂとが重なり合う部分でボルト５とナット７とを締結することによって中間金具３の環状部３ａが締め付けられ、当該中間金具３によって支持金具４が抱持される。すなわち、かかる構成は、中間金具３と支持金具４との連結剛性を高めるのに寄与している。
【００３２】
また、上記構成では、ボルト５およびナット７の締結について、相互に重なり合うフランジ部同士が密着した状態で所定の締付状態（締結トルク）が得られるように取付金具２（取付片２Ａ，２Ｂ）や中間金具３の仕様（形状、厚み；弾性反発力等）を設定してある。これにより、作業者が、フランジ部同士が密着した時点で作業完了を判別することができて便利であるとともに、締付状態（締結トルク）の個体ばらつきを抑制することができる。
【００３３】
以上の本実施形態によれば、溶接部分を設けることなく取付金具２と中間金具３とを結合できるため、溶接に伴う不具合を回避することができる。また、連結具としての一組のボルト５およびナット７を用いて四つのフランジ部２ｂ，３ｂ，３ｂ，２ｂを連結することで取付金具２と中間金具３とを一体化することができるので、ねじの使用数を少なくできて構成が簡素化されるとともに、組立作業（連結作業）を比較的容易に行うことができる。
【００３４】
また、本実施形態によれば、四つのフランジ部２ｂ，３ｂ，３ｂ，２ｂが重なり合う部分を締結する連結具としてのボルト５およびナット７は、取付金具２を支柱１０に固定する機能と、取付金具２と中間金具３とを連結する機能とを担うことになる分、金具同士の連結箇所をさらに減らすことができる。
【００３５】
また、本実施形態によれば、この連結具としてボルト５およびナット７を用いたため、フランジ部２ｂ，３ｂ同士を容易に連結することができる。
【００３６】
また、本実施形態によれば、中間金具３にナットを溶接するのではなく直接雌ねじ孔３ｅを穿設したため、ナットの溶接に伴う不具合を回避することができる。
【００３７】
また、爪部２ｈ，２ｈが支柱１０の外表面１０ａに食い込むため、取付金具２の支柱１０に対する位置ずれ（回転方向および長手方向の位置ずれ）が抑制される。
【００３８】
以上、本発明の好適な実施形態について説明したが、本発明は上記実施形態には限定されず、種々の変形が可能である。
【００３９】
例えば、上記実施形態では、取付金具２のフランジ部２ｂ，２ｂによって、中間金具３のフランジ部３ｂ，３ｂを挟み込むように構成したが、これを、中間金具３のフランジ部３ｂ，３ｂによって取付金具２のフランジ部２ｂ，２ｂを挟み込むように構成してもよいし、取付金具２のフランジ部２ｂと中間金具３のフランジ部３ｂとを互い違いに配置してもよい。また、これら各場合あるいは本実施形態において、外端に配置される一つのフランジ部に形成するねじ挿通孔を、雌ねじ孔としてもよい。
【００４０】
また、連結具としては、他の形状のねじ（例えば蝶ねじ等）を用いてもよいし、クリップ等、ねじ以外の連結具を用いてもよい。
【００４１】
また、取付金具を分割タイプとせず、上記実施形態における中間金具３のように、環状部分の周方向両端部にフランジを有する形態としてもよい。
【図面の簡単な説明】
【００４２】
【図１】本発明の一実施形態にかかるアンテナ取付器具を用いて支柱にアンテナマストを取り付けた状態を示す側面図。
【図２】本発明の一実施形態にかかるアンテナ取付器具の斜視図。
【図３】本発明の一実施形態にかかるアンテナ取付器具を支柱の軸方向から見た平面図（一部断面図）。
【図４】本発明の一実施形態にかかるアンテナ取付器具の取付金具をなす取付片の斜視図。
【符号の説明】
【００４３】
１  アンテナ取付器具
２  取付金具
２ｂ  フランジ部
２ｈ  爪部
３  中間金具
３ｂ  フランジ部
３ｃ  エンボス部（突出部）
４  支持金具
５  ボルト（連結具）
７  ナット（連結具）
１０  支柱
１１  アンテナマスト
【図１】
2008085913.tif 000003
【図２】
2008085913.tif 000004
【図３】
2008085913.tif 000005
【図４】
2008085913.tif 000006